(57)【要約】【課題】田畑、果樹園等で鳥害を防止するために張り巡らせる防鳥糸をスムーズに繰出すことができ、かつ、防鳥糸の張設作業が容易にできる防鳥糸繰出器を提供すること。【解決手段】略同一長さの大径中空パイプ２a，２ｂと、この大径中空パイプ２a，２ｂに挿入される小径パイプ４と、2本の前記大径中空パイプ２a，２ｂの間に介在させる鍔３と、前記大径中空パイプ２a，２ｂの外周に挿通され、防鳥糸７が繰出される防鳥糸巻回体５と、前記大径中空パイプ２a，２ｂ及びこの中空パイプ２a，２ｂに挿通される小径パイプ４の端部を閉塞し、前記防鳥糸巻回体５の抜け出しを防止するためのキャップ本体８を備える。この構成により作業者は、片手で大径中空パイプ２a又は２ｂを把持し、畦等に立てた支柱間を往復するように歩行すれば、防鳥糸７が防鳥糸巻回体５から繰出され、容易に防鳥施設を構築することができる。【選択図】      図1
0003115529.tif 000002
【実用新案登録請求の範囲】
【請求項１】
パイプの長手方向略中央部の外周に鍔を設けたパイプと、このパイプの外周に挿通され、防鳥糸が繰り出される防鳥糸巻回体と、前記パイプの外周に回転自在に挿通された防鳥糸巻回体の抜け出しを防止するための係止手段とを有することを特徴とする防鳥糸繰出器。
【請求項２】
前記係止手段が、前記パイプの端部を閉塞するキャップ本体であることを特徴とする請求項１に記載の防鳥糸繰出器。
【請求項３】
前記係止手段が、前記パイプの端部近傍の外周表面に出没可能な突起物であることを特徴とする請求項１に記載の防鳥糸繰出器。
【請求項４】
前記パイプが、中空パイプであることを特徴とする請求項１に記載の防鳥糸繰出器。
【請求項５】
前記係止手段が、前記パイプの端部近傍の外周表面に設けたくさび状突起物であることを特徴とする請求項１に記載の防鳥糸繰出器。
【請求項６】
略同一長さの大径中空パイプと、この大径中空パイプに挿入される小径パイプと、2本の前記大径中空パイプの間に介在させる鍔と、前記大径中空パイプの外周に挿通され、回転自在に防鳥糸が繰出される防鳥糸巻回体と、前記大径中空パイプ及びこの中空パイプに挿通される小径パイプの端部を閉塞し、前記防鳥糸巻回体の抜け出しを防止するためのキャップ本体を備えたことを特徴とする防鳥糸繰出器。
【請求項７】
前記防鳥糸巻回体は、防鳥糸用芯管の外周に防鳥糸が巻回されていることを特徴とする請求項１又は請求項６のいずれかに記載された防鳥糸繰出器。
【請求項８】
前記防鳥糸巻回体の中心部には、前記パイプの外周に直接はめ込まれる透孔部が形成されていることを特徴とする請求項１又は請求項６のいずれかに記載の防鳥糸繰出器。
【考案の詳細な説明】
【技術分野】
【０００１】
本考案は、田畑、果樹園等で鳥害を防止するために張り巡らせる防鳥糸をスム
―ズに繰出すことができ、かつ、防鳥糸の張設作業が容易にできる防鳥糸繰出器に関するものである。
【背景技術】
【０００２】
農業従事者は、朝早くから夕暮れまでこつこつと弛まず、日々精魂こめて田畑を耕し、果樹園の果実に対してわが子を愛しむように世話をしている。それにもかかわらず他の産業に比べ収益率が低く労働に見合った対価が得られない現状にある。
このような現状を知る由もなく、自然界の無法者が田畑の農作物を食い荒らし、果樹園の果実を啄ばみにやってくる。
【０００３】
烏、雀、ひよどり、むくどり等の鳥類は、零細農業を営む者にとって天敵とも思える存在である。
このため、かかる鳥類を威嚇して追い払うかかしや各種の器具が昔から考案され圃場等に設置されているが、鳥類の習性と人間の知恵比べといったところがあり、未だ十分な効果が期待できないで困り果てている。
【０００４】
中でも鳥類に見えにくい材質や色を工夫した防鳥糸により圃場等を覆うようにして防鳥施設を構築するものにあっては、比較的鳥害防止効果が大きいため、採用さる場合が多い。
一方、防鳥糸によって圃場等に防鳥施設を構築する場合、その構築作業が容易に出来ることが必須条件である。作業者の負担・疲労・構築コストを軽減するためである。
【０００５】
従来、例えば特開平２００１−１２０１５７号公報（以下、特許文献という。）に開示されたものは、かかる防鳥施設を構築するために使用される防鳥糸の繰出器に関するものであり、外周面に防鳥糸等が巻き付けられた芯管と、この芯管の両端を円滑に、かつ、適度なフリクションを付与して支持する軸受部とを具備し、防鳥糸が繰出された時に適度な制動力が加わるようにして、いわゆる防鳥糸のジャムリを防止するようにしたものである。
【考案の開示】
【考案が解決しようとする課題】
【０００６】
上記特許文献に記載された防鳥糸繰出器は、防鳥糸を円滑に引き出し、かかる防鳥糸のジャムリを防止する点で優れている。
しかしながら、防鳥糸を巻回した芯管を収納するパッケージを有する等で構成が複雑となり、また、もともと防鳥糸繰出器自体をトラクター等に設置して使用することを目的としており、防鳥施設の設置作業者が片手に持って引き回し、防鳥施設を簡単に構築することを目的としたものではない。
【課題を解決するための手段】
【０００７】
本考案は、上記の課題を解決するためになされたのもので、請求項１に記載の防鳥糸繰出器は、パイプの長手方向略中央部の外周に鍔を設けたパイプと、このパイプの外周に挿通され、防鳥糸が繰り出される防鳥糸巻回体と、前記パイプの外周に回転自在に挿通された防鳥糸巻回体の抜け出しを防止するための係止手段とを有することを特徴とするものである。
【０００８】
上記の構成により防鳥糸が巻き取られた防鳥糸巻回体を、パイプの係止手段と鍔との間にワンタッチで装着することにより、前記防鳥糸巻回体はパイプに回転自在に支持される。そこで、防鳥糸の先端を支柱に結び、パイプの端部を片手で把持して圃場等の他方の畦まで進行すれば、防鳥糸は防鳥糸巻回体からスムーズに繰出され防鳥施設を構築することができる。
【０００９】
請求項２に記載の防鳥糸繰出器は、前記係止手段が、前記パイプの端部を閉塞するキャップ本体であることを特徴とするものである。この構成によりパイプに挿通した防鳥糸巻回体の外部への抜け出しが容易に防止できる。
【００１０】
請求項３に記載の防鳥糸繰出器は、前記係止手段が、前記パイプの端部近傍の外周表面に出没可能な突起物であることを特徴とするものである。この構成により防鳥糸巻回体のパイプへのワンタッチ装着が可能になる。
【００１１】
請求項４に記載の防鳥糸繰出器は、前記パイプが、中空パイプであることを特徴とするものである。この構成により軽量化が図れるとともに、端部を閉塞するキャップ本体の支持も容易となる。
【００１２】
請求項５に記載の防鳥糸繰出器は、前記係止手段が、前記パイプの端部近傍の外周表面に設けたくさび状突起物であることを特徴とするものである。この構成により前記同様に防鳥糸巻回体のパイプへのワンタッチ装着が可能になる。
【００１３】
請求項６に記載の防鳥糸繰出器は、略同一長さの大径中空パイプと、この大径中空パイプに挿入される小径パイプと、2本の前記大径中空パイプの間に介在させる鍔と、前記大径中空パイプの外周に挿通され、回転自在に防鳥糸が繰出される防鳥糸巻回体と、前記大径中空パイプ及びこの中空パイプに挿通される小径パイプの端部を閉塞し、前記防鳥糸巻回体の抜け出しを防止するためのキャップ本体を備えたことを特徴とするものである。この構成により2本の大径中空パイプのいずれの側からも防鳥糸巻回体を装着することができるとともに、防鳥糸繰出器の組立、分解が容易となる。
【００１４】
請求項７に記載の防鳥糸繰出器は、前記防鳥糸巻回体が、防鳥糸用芯管の外周に防鳥糸を巻回したものであることを特徴とする。この構成では防鳥糸芯管があるために、防鳥糸巻回体の潰れが防止でき、該巻回体のスムーズな回動動作が確保できる。
【００１５】
請求項８に記載の防鳥糸繰出器は、前記防鳥糸巻回体の中心部に、前記パイプの外周に直接はめ込まれる透孔部が形成されていることを特徴とするものである。この構成により、防鳥糸芯管を省くことができ、製造コストの低減に寄与するものである。
【考案の効果】
【００１６】
本考案は上記のように構成したので、概略次のような顕著な効果を奏する。
（１）防鳥糸巻回体をワンタッチ操作で防鳥糸繰出器に装着することができ、防鳥施設構築の作業性を向上させることができる。
（２）防鳥糸繰出器の構成が簡単で部品点数が少ないため、製造コストを低減することができる。
【考案を実施するための最良の形態】
【００１７】
パイプの略中間部に鍔を設け、該パイプのいずれの側からも防鳥糸巻回体が回転自在に装着できるようにするようにするとともに、当該防鳥糸巻回体が前記パイプの端部から逸脱しないような係止手段を設ける。
【実施例】
【００１８】
以下に、本考案の一実施例を図に基づき詳細に説明する。
図1は、本考案の防鳥糸繰出器の第1の実施例を示す斜視図である。
図において、１は防鳥糸繰出器全体を示し、この防鳥糸繰出器は、長さの略等しい大径中空パイプ２a，２ｂが鍔３を介して直線状に配置され、この大径中空パイプ２a，２ｂ内に、小径パイプ４が挿通される。
【００１９】
上記の小径パイプ４は、直線状に配置した前記大径中空パイプ２a，２ｂ及びこの大径中空パイプ２a，２b間に配置した鍔３の厚さ分を加えた寸法と略等しい長さとしてある。また、上記小径パイプ４の外径は、大径中空パイプ２a，２bの内径よりも若干小さく形成され、小径パイプ４を前記大径中空パイプ２a，２b内に挿通した場合に、該大径中空パイプ２a，２bが自在に回動するように構成されている。
【００２０】
大径中空パイプ２aには、図2に示すような防鳥糸巻回体５が装着される。この防鳥糸巻回体５は、ボール紙等の材料で形成した芯管６に防鳥糸７を巻回したものである。防鳥糸は様々な種類があるが、例えば透明な合成樹脂モノフィラメントからなるもの、ポリオレフィン系樹脂からなるもの、マルチフィラメントからなるものなどがある。
本考案で使用する防鳥糸は、これらの糸の構成には限定されるものではなく防鳥糸としての役目を果たせるものであれば良い。
また、芯管６は特になくても良く、芯管６の部分に大径中空パイプ２aを挿通するための透孔が形成されていれば良い。
【００２１】
上記のように構成の防鳥糸巻回体５を大径中空パイプ２aの一端から挿通して押し込めば、防鳥糸巻回体５の一端が鍔３の端面に当たって止まる。
なお、防鳥糸巻回体５は、大径中空パイプ２a，２bが略等しい長さにしてあるので、いずれの側に装着しても良い。
【００２２】
次いで、この防鳥糸巻回体５の抜け出しを防止するために、大径中空パイプ２aの端部にキャップ本体８をはめ込む。このキャップ本体８には、図３に示すように軸方向に伸びる短い突出部９が形成されており、この突出部９が大径中空パイプ２aの空洞部にはめ込まれる。
なお、図３にはキャップ本体８とともに、前述した大径中空パイプ２aと中空パイプ２ｂとの間に介在させる鍔３も図示してある。
【００２３】
図４は、本考案の第２の実施例を示すもので、プラスチック等により大径中空パイプ２a，２b及び鍔３１を一体成形したものであり、略等しい長さL1=L2の大径中空パイプ２a，２bの端部にはそれぞれ係止手段としてのくさび状突起物１０が形成されている。
【００２４】
上記の大径中空パイプ２a又は大径中空パイプ２bに防鳥糸巻回体５を装着する場合には、該防鳥糸巻回体５の芯管６がボール紙等により形成され若干弾性を有するので、それら大径中空パイプ２a，２ｂの一端からくさび状突起物１０を乗り越えるように押し込めば良い。一旦、くさび状突起物１０を乗り越えてしまえば、芯管６は元通りの形状に復元し、くさび状突起物１０の側面が障壁となって防鳥糸巻回体５の大径中空パイプ２a，２ｂからの抜け出しが防止される。
【００２５】
次に、上記第１の実施例及び第２の実施例で説明した防鳥糸繰出器１の使用方法について説明する。
まず、圃場の畦、あるいは果樹園の所定位置に適当な長さの支柱を立てて、防鳥糸繰出器１に装着した防鳥糸巻回体５から引き出した防鳥糸７の一端を支柱に結ぶ。
次に、作業者が大径中空パイプ２a又は大径中空パイプ２bの一端を片手で把持し、そのまま対向面の畦等まで進行すれば、防鳥糸巻回体５が回動し、防鳥糸７が引き出され、対向面の畦等に立てた支柱のところまで進んで、防鳥糸７を支柱に結び、再び対向面の畦等まで進行する。このようにして対向支柱間を何回が往復して防鳥施設を構築する。
【００２６】
本考案の防鳥糸繰出器１は、構成が簡単で重量も軽く片手で持つことができ、きわめて容易に防鳥施設を構築することができる。
なお、上記第２の実施例では、防鳥糸巻回体５の係止手段としてくさび状突起物１０を設ける構成を示したが、かかる係止手段は必ずしもこれに限定されるものではなく、例えば大径中空パイプ２１a，２１bの外周に出没可能になるようにスプリングを備えた突起物を設けるようにしても良い。
また、作物の収穫時には防鳥施設を撤収するが、防鳥糸を生分解性樹脂等で形成することにより自然の状態で土に戻すことができ、自然環境に配慮したものとなる。
【図面の簡単な説明】
【００２７】
【図１】本考案の第１の実施例を示す防鳥糸繰出器の斜視図である。
【図２】上記防鳥糸繰出器に装着される防鳥糸巻回体の斜視図である。
【図３】上記防鳥糸繰出器の構成部品であるキャップ本体及び鍔の斜視図である。
【図４】本考案の第2の実施例を示す防鳥糸繰出器の斜視図である。
【００２８】
１    防鳥糸繰出器
２a，２ｂ，２1a，２１b  大径中空パイプ
３，３１  鍔
４    小径パイプ
５    防鳥糸巻回体
６    芯管
７    防鳥糸
８    キャップ本体
９    突出部
１０  くさび状突起物
【図１】
0003115529.tif 000003
【図２】
0003115529.tif 000004
【図３】
0003115529.tif 000005
【図４】
0003115529.tif 000006